(57)【要約】      （修正有）【課題】脚形成部材を細くしても、脚の強度を十分に確保することができ、分解状態において、できるだけ嵩張ることなく梱包可能な組立て家具を提供することを目的としている。【解決手段】側面視略逆凵形をした第１脚形成部材6aと、第２脚形成部材6bとを、座部の底面に設けた第1位置決めボスがボス挿通孔に嵌り込んで第1連結部と第2連結部が第1括れ部63のねじ孔と第2括れ部67のねじ挿通孔67aが一致した状態で交差して底面に位置決めされた状態とし、固定ネジをねじ通孔66を介して第1位置決めボスに設けられたねじ受け穴にねじ込んで座部材1に支持するように脚を設けるようにした。【選択図】図１７
2018198910.tif 000002
【特許請求の範囲】
【請求項１】
座面または物品載置面を構成する面形成部を備えたベース部材と、前記面形成部を下方から支持するとともに、前記面形成部に着脱可能に装着された４本の脚を有する組立て家具において、
脚となる２本の脚部と、これらの脚部が同一平面内に収まった状態に両脚部を連結する連結部を有する側面視略逆凵形をした一対の脚形成部材を有し、
両脚形成部材は、前記連結部の中央部同士を重ね合わせた状態で、両連結部の上下端が同じになる厚みに形成された重ね合わせ部を中央部にそれぞれ備え、
前記連結部の脚延出方向の面に固定用ねじ挿通孔が穿設され、この固定用ねじ挿通孔と逆の面の前記固定用ねじ孔を臨む位置にボス挿通孔が穿設されていて、
前記ベース部材は、その底面に、前記ボス挿通孔にそれぞれ入り込んで、前記一対の脚形成部材を、前記連結部同士が規定された角度で交差し重ねあわされた状態で、位置決め状態にする複数の脚形成部材位置決めボスを備え、
前記一対の脚形成部材が、固定用ねじ挿通孔から位置決めボスにねじ込まれたねじによってベース部材に固定されていることを特徴とする組立て家具。
【請求項２】
脚形成部材は、連結部と、脚形成部を有する脚形成部材本体と、脚キャップを備え、脚形成部材本体が、金属パイプを加工して形成され、
ベース部材は、少なくとも樹脂材料で形成されている請求項１に記載の組立て家具。
【請求項３】
連結部の交差角と同じ交差角の平面視略十文字形あるいはＸ形をした連結部嵌合凹部と、この連結部嵌合凹部の上端から外側に延出するベース部材底面当接部を有する脚補強部材を備え、この脚補強部材は、ベース部材底面当接部に、ベース部材底面から突設する位置決め突起が嵌り込む突起嵌合孔が穿設されている請求項１または請求項２に記載の組立て家具。
【請求項４】
脚補強部材が、ベース部材底面当接部の端縁から連結部嵌合凹部の凹設方向に折れ曲がるように設けられた補強リブを備えている請求項４に記載の組立て家具。
【請求項５】
ベース部材が、椅子の座部を形成する座部材であって、背凭れ部材が、座部材に着脱自在の設けられている請求項１〜請求項４のいずれかに記載の組立て家具。
【発明の詳細な説明】
【技術分野】
【０００１】
本発明は、椅子やテーブルなどの組立て、分解を容易にできる組立て家具に関する。
【背景技術】
【０００２】
組立て家具として、図１８に示すような組立て椅子１００が既に提案されている（特許文献１）。
この椅子１００は、たとえば、アルミダイキャスト製の座部材１１０と、アルミダイキャスト製の背凭れ部材１２０と、４本のアルミダイキャスト製の脚形成部材１３０を備えている。
【０００３】
そして、図１９に示すように、座部材１１０の後端側（背凭れ部材１２０側）に配置される２本の脚形成部材１３０は、その上端部が座部材１１０の底面側から背凭れ部材１２０にボルト１４０およびナット１５０で固定され、座部材１１０の前端側に配置される２本の脚形成部材１３０は、図示していないが、その上端部が、座部材１１０の底面側からボルト１４０およびナット１５０で固定されるようになっている。
すなわち、上記椅子１００は、ホームセンターやＤＩＹショップ等で購入した人が、座部材１１０あるいは背凭れ部材１２０に取り付けられたボルト１４０にナット１５０を締め込むだけで、４本の脚形成部材１３０を所定位置に簡単に組み立てて使用できる。
【０００４】
そして、ナット１５０を取り外せば、扁平な座部材１１０と、扁平な背凭れ部材１２０と、４つの脚形成部材１３０とに容易に分解することができる。
また、分解することによって、座部材１１０と、背凭れ部材１２０と、４つの脚形成部材１３０を重ねた状態で嵩張らないように梱包できる。
【先行技術文献】
【特許文献】
【０００５】
【特許文献１】実開平５−３４９４７号公報
【発明の概要】
【発明が解決しようとする課題】
【０００６】
しかし、上記椅子１００の場合、脚の強度を確保するために、脚形成部材１３０の上端部が太くなっている。
したがって、脚形成部材１３０の上端部の厚みによって、座部材１１０、背凭れ部材１２０および４本の脚形成部材１３０を重ねた場合、まだまだ嵩張るという問題がある。
【０００７】
本発明は、上記事情に鑑みて、脚形成部材を細くしても、脚の強度を十分に確保することができ、分解状態において、できるだけ嵩張ることなく梱包可能な組立て家具を提供することを目的としている。
【課題を解決するための手段】
【０００８】
上記目的を達成するために、本発明にかかる組立て家具（以下、「本発明の組立て家具」と記す）は、座面または物品載置面を構成する面形成部を備えたベース部材と、前記面形成部を下方から支持するとともに、前記面形成部に着脱可能に装着された４本の脚を有する組立て家具において、脚となる２本の脚部と、これらの脚部が同一平面内に収まった状態に両脚部を連結する連結部を有する側面視略逆凵形をした一対の脚形成部材を有し、両脚形成部材は、前記連結部の中央部同士を重ね合わせた状態で、両連結部の上下端が同じになる厚みに形成された重ね合わせ部を中央部にそれぞれ備え、前記連結部の脚延出方向の面に固定用ねじ挿通孔が穿設され、この固定用ねじ挿通孔と逆の面の前記固定用ねじ孔を臨む位置にボス挿通孔が穿設されていて、前記ベース部材は、その底面に、前記ボス挿通孔にそれぞれ入り込んで、前記一対の脚形成部材を、前記連結部同士が規定された角度で交差し重ねあわされた状態で、位置決め状態にする複数の脚形成部材位置決めボスを備え、前記一対の脚形成部材が、固定用ねじ挿通孔から位置決めボスにねじ込まれたねじによってベース部材に固定されていることを特徴としている。
【０００９】
本発明の組立て家具は、特に限定されないが、脚形成部材を、連結部と、脚形成部を有する脚形成部材本体と、脚キャップを備え、脚形成部材本体が、金属パイプを加工して形成し、ベース部材を少なくとも樹脂材料で形成することが好ましい。
すなわち、家具全体の重量を軽量化できる。
【００１０】
本発明の組立て家具は、特に限定されないが、連結部の交差角と同じ交差角の平面視Ｘ形をした連結部嵌合凹部と、この連結部嵌合凹部の上端から外側に延出するベース部材底面当接部を有する脚補強部材を備え、この脚補強部材は、ベース部材底面当接部に、ベース部材底面から突設する位置決め突起が嵌り込む突起嵌合孔が穿設されている構成とすることが好ましい。
すなわち、脚補強部材によって、連結部を交差状態にされた２つの脚形成部材が、４本
の脚を所定の位置に配置された状態にしっかりと維持することができる。
【００１１】
なお、脚補強部材は、特に限定されないが、ベース部材底面当接部の端縁から連結部嵌合凹部の凹設方向に折れ曲がるように設けられた補強リブを備えていることが好ましい。
また、脚補強部材は、全体の軽量化を図るために樹脂で形成されていることが好ましい。
【００１２】
本発明の組立て家具としては、椅子やテーブルが挙げられるが、椅子の場合、背凭れつきでも、背凭れなしでも構わない。
背凭れ付きの椅子の場合、ベース部材は、座部を形成する座部材であって、嵩張らない状態に梱包できるように、この座部材に背凭れ部となる背凭れ部材がボルトによって着脱自在になっていることが好ましい。
【発明の効果】
【００１３】
本発明の組立て家具は、上記のように、座面または物品載置面を構成する面形成部を備えたベース部材と、前記面形成部を下方から支持するとともに、前記面形成部に着脱可能に装着された４本の脚を有する組立て家具において、脚となる２本の脚部と、これらの脚部が同一平面内に収まった状態に両脚部を連結する連結部を有する側面視略逆凵形をした一対の脚形成部材を有し、両脚形成部材は、前記連結部の中央部同士を重ね合わせた状態で、両連結部の上下端が同じになる厚みに形成された重ね合わせ部を中央部にそれぞれ備え、前記連結部の脚延出方向の面に固定用ねじ挿通孔が穿設され、この固定用ねじ挿通孔と逆の面の前記固定用ねじ孔を臨む位置にボス挿通孔が穿設されていて、前記ベース部材は、その底面に、前記ボス挿通孔にそれぞれ入り込んで、前記一対の脚形成部材を、前記連結部同士が規定された角度で交差し重ねあわされた状態で、位置決め状態にする複数の脚形成部材位置決めボスを備え、前記一対の脚形成部材が、固定用ねじ挿通孔から位置決めボスにねじ込まれたねじによってベース部材に固定されているので、嵩張らない脚形成部材を、正確にかつ容易にベース部材に取り付けることができる。
【００１４】
また、脚形成部材が略逆凵形をしているので、厚みを薄くすることができ、各部材を分解して重ねた場合に、嵩張らない。
したがって、厚みの薄い箱などに入れて梱包でき、持ち運びが容易となるとともに、保管スペースや陳列スペースなども少なく済む。
【図面の簡単な説明】
【００１５】
【図１】本発明の組立て家具の１つの実施の形態である椅子をあらわし、その上方からみた斜視図である。
【図２】図１の椅子を下方から見た斜視図である。
【図３】図１の椅子の底面図である。
【図４】図１の椅子の正面図である。
【図５】図１の椅子の座部材を上方から見た斜視図である。
【図６】図１の椅子の座部材を下方から見た斜視図である。
【図７】図１の椅子の背凭れ部材を正面側から見た斜視図である。
【図８】図１の椅子の背凭れ部材を背面側から見た斜視図である。
【図９】図１の椅子の背凭れ補強部材の斜視図である。
【図１０】図１の椅子の片方の背凭れ補強部材を外した状態の背面図である。
【図１１】図１の椅子の座部材用ねじキャップの斜視図である。
【図１２】図１の椅子の背凭れ部材用ねじキャップの斜視図である。
【図１３】図１の椅子の脚形成部材の斜視図である。
【図１４】図１４の脚形成部材の連結部同士を重ね合わせた状態の斜視図である。
【図１５】図１の椅子の脚補強部材の斜視図である。
【図１６】図１の椅子の脚形成部材の取付工程を説明する図である。
【図１７】図１６の後工程を説明する図である。
【図１８】従来の椅子の１例をあらわす斜視図である。
【図１９】図１８の椅子の脚の固定状態を説明する断面図である。
【発明を実施するための形態】
【００１６】
以下に、本発明を、その実施の形態を参照して詳しく説明する。
図１〜図４は、本発明にかかる組立て家具の１つの実施の形態である椅子をあらわす。
【００１７】
図１〜図４に示すように、この椅子Ａは、座部Ａ１と、背凭れ部Ａ２と、４本の脚Ａ３を備え、ベース部材としての座部材１と、背凭れ部材２と、脚Ａ３を形成する第１脚形成部材６ａおよび第２脚形成部材６ｂと、脚補強部材７と、２つの背凭れ補強部材４ａ，４ｂと、４つの座部材用ねじキャップ３と、２つの背凭れ部材用ねじキャップ５の複数のパーツからなり、これらのパーツが後述するようにボルトｂおよびナットｎを用いて、以下に詳述するように組み立てられることによって形成されている。
【００１８】
すなわち、座部材１は、ポリカーボネート、ＡＢＳ樹脂、ポリエチレン、ポリ塩化ビニルなどの合成樹脂、あるいは、これらの合成樹脂に補強繊維、紫外線吸収剤、顔料、充填材などの公知の添加剤を添加した合成樹脂組成物からなる成形品であって、図５，図６に示すように、面形成部としての座部本体１１と、背凭れ受部１２を備えている。
座部本体１１は、後端から前端に向かって幅が広がる平面視で左右対称のほぼ台形をしていて、上面が座面１１ａとなっているとともに、後端側中央に座面１１ａより少し凹設された野球のホームベース形をした凹部１１ｄを備えるとともに、座面１１ａを貫通する４つの第１ボルト挿通孔１１ｃが座面１１ａの後端縁の沿って並ぶように凹部１１ｄを挟んで２つずつ穿設されている。
【００１９】
座部本体１１の底面には、第１リブ１４と、第２リブ１８と、脚形成部材位置決めボスとしての第１位置決めボス１５と、第２位置決めボス１６が突設されている。
すなわち、第１リブ１４は、座部本体１１を補強するとともに、十文字形をした凹溝部１７を形成するように底面１１ｂから下方に突設されている。
【００２０】
第２リブ１８は、座部本体１１の底面１１ｂの凹溝部１７の部分を補強するように、ハニカム形状に底面１１ｂから下方に突設されている。
凹溝部１７には、４個の第１位置決めボス１５と、第１位置決めボス１５より小さい１６個の第２位置決めボス１６が突設されている。
【００２１】
４個の第１位置決めボス１５は、円柱状をしていて、凹溝部１７の十文字の縦横辺の交点を中心にして中心から等距離になるように設けられている。
また、各第１位置決めボス１５は、円柱の中心軸に沿うようにねじ受け穴１５ａが穿設されている。
【００２２】
第２位置決めボス１６は、後述する脚補強部材７の第１ボス挿通孔６５に対応する位置に、４つの第２位置決めボス１６がそれぞれ第１位置決めボス１５を中心に等距離になるように底面１１ｂから突設されている。
【００２３】
背凭れ受部１２は、座部本体１１の後端縁の中央部から下方に延出するように設けられていて、補強リブ１３によって座部本体１１に支持されている。
また、背凭れ受部１２は、両端部に第２ボルト挿通孔１２ａが穿設されている。
【００２４】
背凭れ部材２は、ポリカーボネート、ＡＢＳ樹脂、ポリエチレン、ポリ塩化ビニルなどの合成樹脂、あるいは、これらの合成樹脂に補強繊維、紫外線吸収剤、顔料、充填材などの公知の添加剤を添加した合成樹脂組成物からなる成形品であって、図７，図８に示すように、背凭れ部本体２１と、座部材固定部２２を備えている。
背凭れ部本体２１は、下端部が側面視略Ｓ字形をしていて、下端中央から後方へ座部材固定部２２が突設されているとともに、座部材固定部２２の上方に開口部２３を備えている。
【００２５】
また、背凭れ部本体２１は、上記開口部２３を挟んで対称位置に、長円形状をした突部２４がそれぞれ設けられている。
両突部２４は、その長手方向両端に第３ボルト挿通孔２５が穿設されている。
【００２６】
座部材固定部２２は、断面三角形の補強リブ２２ｂによって間欠的に補強されているとともに、第２ボルト挿通孔１２ａに対応する位置に第４ボルト挿通孔２２ａが穿設されている。
【００２７】
そして、座部材１と背凭れ部材２は、図１０に示すように、第２ボルト挿通孔１２ａと、第４ボルト挿通孔２２ａが一致し、背凭れ受部１２と、座部材固定部２２とが突き合った状態で、第２ボルト挿通孔１２ａ（または第４ボルト挿通孔２２ａ）側から第４ボルト挿通孔２２ａ（または第２ボルト挿通孔１２ａ）に向かってボルトｂのねじ部を挿通し、第４ボルト挿通孔２２ａ側から突出したねじ部の先端部をナット（図示せず）にねじ込むことによって、背凭れ部材２が座部材１に対して所定の位置および角度に固定されるようになっている。
【００２８】
２つの背凭れ補強部材４ａ，４ｂは、ポリカーボネート、ＡＢＳ樹脂、ポリエチレン、ポリ塩化ビニルなどの合成樹脂、あるいは、これらの合成樹脂に補強繊維、紫外線吸収剤、顔料、充填材などの公知の添加剤を添加した合成樹脂組成物からなる成形品であって、対称形状に形成されている。
また、図９では、背凭れ補強部材４ａしかあらわれていないが、背凭れ補強部材４ａ，４ｂは、それぞれ上記のようにボルトナットによって固定された座部材１の座部本体１１の後端部および背凭れ部材２の背凭れ部本体２１の下端部に沿う側面視略Ｌ字形をしていて、Ｌ字の横辺部分４１の第１ボルト挿通孔１２ａに対応する位置に第５ボルト挿通孔４１ａを備え、Ｌ字の縦辺部分４２の第３ボルト挿通孔２２ａに対応する位置に第６ボルト挿通孔４２ａが設けられている。
【００２９】
そして、背凭れ補強部材４ａ，４ｂは、後述する座部材用ねじキャップ３のボルト挿通孔３１ｂから第１ボルト挿通孔１１ｃ、第５ボルト挿通孔４１ａにボルトｂのねじ部を刺し通すとともに、第５ボルト挿通孔４１ａから突出したねじ部をナットｎにねじ込むことによって、背凭れ補強部材４ａ，４ｂのＬ字の横辺部分４１が座部本体１１の下面に沿うように固定される。また、第１ボルト挿通孔１１ｃから第６ボルト挿通孔４２ａにボルトｂのねじ部を刺し通すとともに、第６ボルト挿通孔４２ａから突出したねじ部をナットｎにねじ込むことによって、背凭れ補強部材４ａ，４ｂのＬ字の縦辺部分４２が背凭れ部本体２１の下端背面に固定される。
【００３０】
座部材用ねじキャップ３は、ポリカーボネート、ＡＢＳ樹脂、ポリエチレン、ポリ塩化ビニルなどの合成樹脂、あるいは、これらの合成樹脂に補強繊維、紫外線吸収剤、顔料、充填材などの公知の添加剤を添加した合成樹脂組成物からなる成形品であって、図１１に示すように、ベース部３１と、キャップ本体３２を備えている。
ベース部３１は、前述した背凭れ補強部材４ａ，４ｂのＬ字の横辺部分を固定するボルトｂの頭部が嵌り込む凹部３１ａを備え、凹部３１ａの底に、ボルト挿通孔３１ｂが穿設されている。
【００３１】
キャップ本体３２は、ベース部３１の上部を開閉自在に樹脂ヒンジを介してベース部３１に一体化されている。
そして、座部材用ねじキャップ３は、ボルトｂのねじ部がナットｎに締め込まれるに伴って、凹部３１ａの底がボルトｂの頭部で座部材１の座面１１ａに圧接されてベース部３１が座部材１１に固定される。
キャップ本体３２は、上記のようにしてベースブ３１を固定したのち、ヒンジを中心に回動させてベース部３１の上部開口を塞ぎ、ボルトｂの頭部を外部から見えないようにできる。
【００３２】
背凭れ部材用ねじキャップ５は、ポリカーボネート、ＡＢＳ樹脂、ポリエチレン、ポリ塩化ビニルなどの合成樹脂、あるいは、これらの合成樹脂に補強繊維、紫外線吸収剤、顔料、充填材などの公知の添加剤を添加した合成樹脂組成物からなる成形品であって、図１２に示すように、突部２５に外嵌される形状をしていて、ボルトｂによって背凭れ補強部材４ａ，４ｂのＬ字の縦辺部分を背凭れ部本体２１の下端背面に固定したのち、突部２５に外嵌されて、ボルトｂの頭部を外部から見えないようにすることができる。
【００３３】
第１脚形成部材６ａは、図１３および図１４に示すように、第１脚形成部材本体６１と、２つの脚キャップ６８を備えている。
第１脚形成部材本体６１は、円形のステンレス鋼や亜鉛メッキ鋼製のパイプを曲げ加工、穴開け加工およびプレス加工することによって、略逆凵形に形成されていて、第１連結部６０と、第１連結部６０の両端部でパイプを湾曲させて形成した２つの脚部６２を備えている。
【００３４】
第１連結部６０は、パイプを直径方向両側から押しつぶして形成された重ね合わせ部としての第１括れ部６３を中央部に備えている。
第１括れ部６３は、その長手方向（第１連結部６０の軸方向）中央にねじ孔６３ａが穿設されている。
【００３５】
また、第１連結部６０は、その上面（脚部６２の曲がり方向と逆側の面）の第１位置決めボス１５に対応する位置に、ボス挿通孔６５が穿設され、その下面にボス挿通孔６５と中心軸が一致し、第１ボス挿通孔６５より小さな径のねじ通孔６６が穿設されている。
脚キャップ６８は、脚部６２の開放端に嵌合されていて、脚部６２とともに、椅子Ａの脚Ａ３を形成するようになっている。
【００３６】
第２脚形成部材６ｂは、第２脚形成部材本体６４と、２つの脚キャップ６８を備えている。
第２脚形成部材本体６４は、円形のステンレス鋼や亜鉛メッキ鋼製のパイプを曲げ加工穴開け加工およびプレス加工することによって形成されていて、第２連結部６９と、第１連結部６０の両端部でパイプを湾曲させて形成した２つの脚部６２を備えている。
【００３７】
第２連結部６９は、中央部パイプを直径方向一方から押し潰した形状をした重ね合わせ部としての第２括れ部６７を中央部に備えている。
第２括れ部６７は、その長手方向（第２連結部６９の軸方向）中央にねじ挿通孔６７ａが穿設されているとともに、ねじ孔６３ａとねじ挿通孔６７ａが中心軸を一致させるように第１連結部６０の第１括れ部６３に重ね合わさった状態で、第１連結部６０と、第２連結部６９のその他の部分の上下端がともに同一平面内にほぼ収まる厚さに形成されている。
【００３８】
また、第２連結部６９は、第１連結部６０と同様に、その上面（脚部６２の曲がり方向と逆側の面）の第１位置決めボス１５に対応する位置に、ボス挿通孔６５が穿設され、その下面にボス挿通孔６５と中心軸が一致し、第１ボス挿通孔６５より小さな径のねじ通孔６６が穿設されている。
【００３９】
脚補強部材７は、ポリカーボネート、ＡＢＳ樹脂、ポリエチレン、ポリ塩化ビニルなどの合成樹脂、あるいは、これらの合成樹脂に補強繊維、紫外線吸収剤、顔料、充填材などの公知の添加剤を添加した合成樹脂組成物からなる成形品であって、図１５に示すように、連結部補強部７１と、固定フランジ部７２と、補強リブ７３を備え、平面視略十字形をしている。
【００４０】
連結部補強部７１は、略断面Ｕ字形の溝形状部が十字に交差した形状をしていて溝深さが、第１脚形成部材本体６１および第２脚形成部材本体６４を形成するパイプの直径と同じに形成されている。
また、連結部補強部７１は、Ｕ字溝の底のねじ通孔６６に対応する位置に第１固定ねじ挿通孔７１ａが穿設され、Ｕ字溝の交差中心に第２固定ねじ挿通孔７１ｂが穿設されている。
【００４１】
固定フランジ部７２は、連結部補強部７１の溝の上縁から両側に張り出すように設けられていて、第２位置決めボス１６に対応する位置にボス嵌合孔７２ａが穿設されている。
補強リブ７３は、両側の固定フランジ部７２の外縁から直角に立ち上がるように設けられて、両側の補強リブ７３の外縁間の距離が、凹溝部１７の幅と同じに形成されている。
【００４２】
そして、第１脚形成部材６ａ、第２脚形成部材６ｂ、脚補強部材７は、以下のようにして座部材１に取り付けられる。
すなわち、図１６に示すように、第１脚形成部材６ａを第１位置決めボス１５が第１ボス孔６５に嵌り込み、第１連結部６０が底面１１ｂに接するようにセットする。
【００４３】
つぎに、図１７に示すように、第２脚形成部材６を第２連結部６９が、第１連結部６０に交差するとともに、残りの第１位置決めボス１５が第２連結部６９の第１ボス孔６５に嵌り込み、第２連結部６２が底面１１ｂに接するようにセットする。
そして、図３に示すように、脚補強部材７を、固定フランジ部７２が凹溝部１７の底に接し、各第２位置決めボス１６が対応する第２ボス孔７２ａに嵌り込むように凹溝部１７にセットする。
【００４４】
つぎに、固定ねじ７５を第１固定ねじ挿通孔７１ａを介して各ねじ受け穴１５ａにねじ込むとともに、固定ねじ７６を第２固定ねじ挿通孔７１ｂおよびねじ挿通孔６７ａを介してねじ孔６３ａねじ込んで脚補強部材７を固定する。
【００４５】
この椅子Ａは、上記のように、４本の脚Ａ３が、パイプを折り曲げ、プレス加工等して形成した第１脚形成部材６ａと第２脚形成部材６ｂによって形成されるようになっているので、分解状態では、パイプの径の厚みにすることができる。
したがって、分解状態での梱包時に嵩張らない。
【００４６】
また、第１脚形成部材６ａと第２脚形成部材６ｂが、第１位置決めボス１５を第１ボス孔６５に嵌合させることによって、容易にしっかりと正確に位置決めできるとともに、第１脚形成部材６ａと第２脚形成部材６ｂが細いパイプ径の材料で形成されていても、座部材１に加わる荷重をしっかりと支えることができる。
そして、脚補強部材７を備えているので、第１脚形成部材６ａと第２脚形成部材６ｂがよりしっかりとした取付状態となり、脚Ａ３がぐらついたりすることなくよりしっかりとした椅子Ａとなる。
さらに、第１脚形成部材６ａおよび第２脚形成部材６ｂ以外の部材が、合成樹脂で形成されるとともに、第１脚形成部材６ａおよび第２脚形成部材６ｂが中空であるので、軽量である。
【００４７】
本発明は、上記の実施の形態に限定されない。上記の実施の形態では、脚形成部材本体、円形パイプを形成されていたが、角パイプでも構わない、また、曲げ加工に代えて溶接を用いても構わない。
上記実施の形態では、座部材および背凭れ部材が合成樹脂の成形品であったが、金属製の芯材をインサートするようにしても構わない。
【００４８】
上記の実施の形態では、組立て家具が、背凭れ付きの椅子であったが、背凭れのないベンチでも構わないし、ベース部材が物品載置面となる天板であるテーブルでも構わないし、脚立でも構わない。
上記の実施の形態では、座部材用ねじキャップが、ベース部とキャップ本体を備えた構成となっていたが、座部材の座面にボルトの頭が入り込む凹部を設け、座部材用ねじキャップをこの凹部に嵌合させるような構造としても構わない。
【符号の説明】
【００４９】
Ａ  椅子（組立て家具）
Ａ１  座部
Ａ２  背凭れ部
Ａ３  脚
１  座部材（ベース部材）
１１  座部本体（面形成部）
１１ａ  座面
１１ｂ  底面
１１ｃ  第１ボルト挿通孔
１１ｄ  凹部
１２  背凭れ受部
１２ａ  第２ボルト挿通孔
１３  補強リブ
１４  第１リブ
１５  第１位置決めボス
１５ａ  ねじ受け穴
１６  第２位置決めボス
１７  凹溝部
１８  第２リブ
２  背凭れ部材
２１  背凭れ部本体
２２  座部材固定部
２２ａ  第４ボルト挿通孔
２２ｂ  補強リブ
２３  開口部
２４  突部
２５  第３ボルト挿通孔
３  座部材用ねじキャップ
３１  ベース部
３１ａ  凹部
３１ｂ  ボルト挿通孔
３２  キャップ本体
４ａ，４ｂ  背凭れ補強部材
４１  横辺部分
４１ａ  第５ボルト挿通孔
４２  縦辺部分
４２ａ  第６ボルト挿通孔
５  背凭れ用ねじキャップ
６ａ  第１脚形成部材
６ｂ  第２脚形成部材
６０  第１連結部
６１  第１脚形成部材本体
６２  脚部
６３  第１括れ部（重ね合わせ部）
６３ａ  ねじ孔
６４  第２脚形成部材本体
６５  第１ボス挿通孔
６６  ねじ通孔
６７  第２括れ部（重ね合わせ部）
６７ａ  ねじ挿通孔
６８  脚キャップ
６９  第２連結部
７  脚補強部材
７１  連結部補強部
７１ｂ  第２固定ねじ挿通孔
７２  固定フランジ部
７３  補強リブ
７５  固定ねじ
７６  固定ねじ
ｂ  ボルト
ｎ  ナット
【図１】
2018198910.tif 000003
【図２】
2018198910.tif 000004
【図３】
2018198910.tif 000005
【図４】
2018198910.tif 000006
【図５】
2018198910.tif 000007
【図６】
2018198910.tif 000008
【図７】
2018198910.tif 000009
【図８】
2018198910.tif 000010
【図９】
2018198910.tif 000011
【図１０】
2018198910.tif 000012
【図１１】
2018198910.tif 000013
【図１２】
2018198910.tif 000014
【図１３】
2018198910.tif 000015
【図１４】
2018198910.tif 000016
【図１５】
2018198910.tif 000017
【図１６】
2018198910.tif 000018
【図１７】
2018198910.tif 000019
【図１８】
2018198910.tif 000020
【図１９】
2018198910.tif 000021